(57)【要約】      （修正有）【課題】生コンクリートの発注者と製造者と（運送業者と）現場の各々の作業の確認と現状の把握し生コンクリートの誤納を防ぐ方法を提供する。【解決手段】プログラムＰは、ホストコンピュータに、各端末で共用されるフォーマットを蓄積したフォーマット蓄積部１１と、各端末から入力されたデータがフォーマット上のデータに一致するか否かを判別するチェック部１７とが、各端末の各々に、フォーマットを表示する表示部１２と、フォーマットへの必要データの入力を受け付ける入力部１３と、入力データとフォーマット上の必要データとがチェック部で一致しない場合に報知する結果出力部１６と、が各々インストールされる。【選択図】図３
2014233914.tif 000002
【特許請求の範囲】
【請求項１】
生コンクリートの、発注者端末と、製造者端末と、現場端末と、がホストコンピュータにネットワークを介して接続された環境下で稼働する生コンクリート誤納防止プログラムであって、
ホストコンピュータは、少なくとも、前記各端末において共用するフォーマットを蓄積したフォーマット蓄積部と、前記各端末から入力されたデータを前記フォーマット蓄積部に蓄積されたフォーマットに存在するデータと照合一致するかを判別するチェック部と、がインストールされ、
前記各端末は、それぞれ、少なくとも、フォーマットを前記ホストコンピュータの前記フォーマット蓄積部より読み出して表示する表示部と、フォーマット上の必要データの入力を受け付けて前記ホストコンピュータの前記チェック部へ送る入力部と、この入力部から送られたフォーマット上の必要データが前記ホストコンピュータの前記チェック部により照合一致しない場合にその旨報知する結果出力部と、がインストールされ、
前記ホストコンピュータを介して前記各端末から共用するフォーマットの閲覧と正誤確認を行うようにしたことを特徴とする生コンクリート誤納防止プログラム。
【請求項２】
ホストコンピュータにフォーマットをコード化するコード生成部がインストールされ、前記各端末に前記コードが付与された形式のフォーマットを印刷出力するフォーマット出力部と、コードが付与されたフォーマットの該コードを読み取って解読する読取部とがインストールされることを特徴とする請求項１記載の生コンクリート誤納防止プログラム。
【請求項３】
生コンクリートの、発注者端末と、製造者端末と、現場端末と、がホストコンピュータにネットワークを介して接続された環境下で稼働する生コンクリート誤納防止システムであって、
前記発注者端末において、前記ホストコンピュータよりフォーマットをダウンロードするステップと、ダウンロードしたフォーマットに、生コンクリートを打設する現場、生コンクリートの製造、生コンクリートの仕様、のデータを入力し、前記ホストコンピュータへ送信するステップと、
前記ホストコンピュータにおいて、前記発注者端末より受信したフォーマットを管理可能に蓄積し、前記製造者端末へフォーマットにおいて生コンクリートの製造依頼があった旨を送信するステップと、
前記製造者端末において、前記ホストコンピュータに蓄積された前記発注者端末によって入力済みのフォーマットをダウンロードするステップと、ダウンロードしたフォーマットに、生コンクリートの仕様、現場に生コンクリートを搬送する業者、のデータを入力するステップと、
前記ホストコンピュータにおいて、前記発注者端末でフォーマットに入力されたデータと前記ホストコンピュータに蓄積されたデータとを確認するステップと、
前記製造者端末において、前記確認の際に誤りがない場合に、前記製造者端末で入力されたフォーマットを前記ホストコンピュータへ送信するステップと、
前記ホストコンピュータにおいて、前記製造者端末より受信したフォーマットを管理可能に蓄積し、この蓄積したフォーマットに基づいて前記現場端末へ生コンクリートを運搬する際に用いる規格納入書にフォーマットの所定データのコードを付して印刷するステップと、
前記現場端末において、規格の納入書と共に生コンクリートが現場に運搬された際に、規格の納入書に付されたコードを読み取り解読して、前記ホストコンピュータからフォーマットを読み出すと共に、納入された現場のデータを前記ホストコンピュータに出力するステップと、
前記ホストコンピュータにおいて、前記現場のデータと読み出したフォーマットの現場のデータとを確認するステップと、確認されて誤りがあった場合に、その旨前記現場端末に対して報知するステップと、
前記現場端末において、前記ホストコンピュータにおいて確認されて誤りがない場合に、前記現場端末から納入の旨のデータをフォーマットに入力すると共に入力済みフォーマットを前記ホストコンピュータへ送信するステップと、
を備えたことを特徴とする生コンクリート誤納防止システム。
【発明の詳細な説明】
【技術分野】
【０００１】
本発明は、生コンクリートの発注者、製造者、現場において、共通して閲覧・入力が可能な、生コンクリートを中心とした仕様や現場及び出荷に関するフォーマットを持つことで、運送業者及び現場の生コンクリートの誤納、製造業者の生コンクリートの誤製造を防止する生コンクリート誤納防止プログラム及びシステムに関するものである。
なお、本願では、硬化前のコンクリートを生コンクリートと称することとする。
【背景技術】
【０００２】
一般的な生コンクリートの納入形態は、発注者から生コンクリート協同組合を通して、組合加盟の生コンクリート製造工場へ発注され、発注の指示を受けた生コンクリート製造工場は、事前に発注者立ち会いのもとに、納入する生コンクリートのうち、代表的なものを注出して室内試験練りを実施し、生コンクリート性状や圧縮強度などの特性を発注者と製造者で確認する。
【０００３】
生コンクリートの納入は、発注者から指示された生コンクリートを生コンクリート製造工場で混練製造し、その生コンクリートを運送車に積み込み、指定された日時に、指定された場所へ運送する。生コンクリート製造工場で混練製造した担当者あるいは出荷担当者は、ＪＩＳＡ５３０８規格に基づく納入書を作成し、運送車を運転する担当者にその納入書を手渡す。
【０００４】
運送車の運転担当者は、指定された現場に生コンクリートを運送し、現場管理者に納入書を手渡す。現場管理者は、納入書に記載された生コンクリートの内容を確認し、納入書に署名し、納入書に添付された受領書を運送車の運転担当者に手渡す。こうした一連の作業を終えて、運送車の運転担当者が現場の例えばポンプ車などに生コンクリートを投入して運送車の運転担当者の運送作業が完了する。
【０００５】
上記の一連の作業において、生コンクリート製造者と現場管理者は、打設日の計画を打合せ会議などを重ねて生コンクリートの内容及び打設計画を詳細に把握しているが、運送車の運転担当者及び生コンクリートの打設関係者の全員が上記詳細を把握できていない可能性がある。
【０００６】
例えば現場が広範囲かつ巨大な規模であって、打設する生コンクリートの種類が複数あって、なおかつ生コンクリートの運送箇所が複数ある場合、運送車の運転担当者及び生コンクリート打設関係者や現場の担当者が、間違った判断を下す可能性がある。仮に、運送車の運転担当者や現場の生コンクリートの受け入れ担当者が間違った納入書に気付けば、現場の納入先を即座に指示するなど対応は可能であるが、生コンクリート製造工場で運送先やその現場における生コンクリートの配合を間違っていると対処不可能となる。
【０００７】
生コンクリートの硬化は、混練開始から約１時間〜２時間後に硬化し始めるので、生コンクリート運送時間は上記時間の制約を受けることとなる。しかし、運送車の運転担当者は納入書に記載された情報や見た目では生コンクリートの詳細内容、例えば配合詳細や出荷情報などを瞬時に把握できない場合が多いにもかかわらず、上記の運送する生コンクリートの詳細内容に応じた適切な場所に、所定の時間内に、運送することが求められる。
【０００８】
仮に所定の時間内に運送できなかった場合、発注者（現場）で生コンクリートの受け入れを拒否され、生コンクリート製造工場に持ち帰って、廃棄することとなる。廃棄する場合、生コンクリートの製造、運送、廃棄に伴う諸費用は、関係者による負担（生コンクリート製造工場の負担となる場合が多い）となる。
【０００９】
生コンクリートは、建築物を建設する上で、重要な材料の一つとされている。建築物は、地震や台風などの自然災害から人命を守るように構造設計され、それにより各構造部材には所定の強度が設定されている。
【００１０】
つまり、建築物においてコンクリートの強度が異なるものを間違って打設した場合、その建築物の安全性が損なわれるおそれもあり、最悪の事態としては、建築物を解体する場合もある。そうなると、関係する企業にとっては甚大な費用負担が発生すると共に、社会的な責任、特に品質管理の不備を指摘され、社会的な信用を失墜することになる。
【００１１】
そこで、下記の特許文献１には、生コンクリート製造プラントにおいて、製造・出荷される生コンクリートの出荷管理方法が記載されている。該特許文献１は、操作盤と出荷管理装置との間で送受信される製品の製造・出荷指示に関する指令データの整合性を事前にかつ自動的にチェックすることで、計量ミスや出荷ミスの発生を未然に防止して製品の誤納を阻止することを目的として以下のような構成としている。
【００１２】
すなわち特許文献１は、操作盤が受信した指令データに基づいて製品の製造・出荷を開始する前に、製造・出荷開始予定の製品の配合値や出荷量、出荷車両番号等を開始確認データとして出荷管理装置に送信し、出荷管理装置では受信した開始確認データと操作盤に送信した指令データとの整合性を確認し、両データが一致する場合には操作盤に製品の製造・出荷開始を指示する開始指示信号を送信する一方、不一致の場合には警報を発報してオペレータに警告する構成としている。
【００１３】
しかしながら、特許文献１では、開始確認データと指令データとが一致しても操作盤に製品の製造・出荷開始を指示するだけで、出荷先に正しく生コンクリートが所定時間内に運送されたか否かを管理する構成ではなかった。
【先行技術文献】
【特許文献】
【００１４】
【特許文献１】特開２０１２−４３３１７号公報
【発明の概要】
【発明が解決しようとする課題】
【００１５】
解決しようとする問題点は、特許文献を含めた従来では、生コンクリートの発注者と製造者と運送車と生コンクリートの納入先となる現場とで、共通したフォーマットを有していないと共に、発注時から製造時、製造時から運送時、運送時から納入時、までの各工程時点での正確な確認ができていなかったため、生コンクリートが誤納される可能性がある点、である。
【課題を解決するための手段】
【００１６】
本発明の生コンクリート誤納防止プログラムは、上記課題を解決すべく、生コンクリートの、発注者端末と、製造者端末と、現場端末と、がホストコンピュータにネットワークを介して接続された環境下で稼働する生コンクリート誤納防止プログラムであって、ホストコンピュータは、少なくとも、前記各端末において共用するフォーマットを蓄積したフォーマット蓄積部と、前記各端末から入力されたデータを前記フォーマット蓄積部に蓄積されたフォーマットに存在するデータと照合一致するかを判別するチェック部と、がインストールされ、前記各端末は、それぞれ、少なくとも、フォーマットを前記ホストコンピュータの前記フォーマット蓄積部より読み出して表示する表示部と、フォーマット上の必要データの入力を受け付けて前記ホストコンピュータの前記チェック部へ送る入力部と、この入力部から送られたフォーマット上の必要データが前記ホストコンピュータの前記チェック部により照合一致しない場合にその旨報知する結果出力部と、がインストールされ、前記ホストコンピュータを介して前記各端末から共用するフォーマットの閲覧と正誤確認を行うようにしたことを最も主要な特徴とする。
【発明の効果】
【００１７】
本発明は、発注者端末と、製造者端末と、現場端末とが生コンクリートの発注、製造、納入で用いるフォーマットを一元管理し、このフォーマットをホストコンピュータに蓄積し、各端末から閲覧・確認・入力可能に蓄積している。したがって、本発明は、製造者側であるいは現場側で、正しく納入されるべき生コンクリートの仕様、納入場所（現場）、の一方又は両方に不備があった場合には、即座にどの時点で不備があったかが把握できる。また、生コンクリートの、仕様、納入先、のいずれか一方の不備が未然に防止でき、現場で誤って生コンクリートを打設する最悪の事態を確実に防ぐことができる。
【図面の簡単な説明】
【００１８】
【図１】本発明の生コンクリート誤納防止システムの概略図である。
【図２】本発明の生コンクリート誤納防止システムにおける各端末及びホストコンピュ  ータのハードウェア構成を示す図である。
【図３】本発明の生コンクリート誤納防止プログラムの構成を示す図である。
【図４】本発明の生コンクリート誤納防止プログラムの動作を説明するためのフローチ  ャートである。
【図５】本発明の生コンクリート誤納防止プログラムの動作を説明するためのフローチ  ャートである。
【図６】本発明の生コンクリート誤納防止プログラム及びシステムで用いられる規格の  納入書を示す図である。
【発明を実施するための形態】
【００１９】
本発明は、生コンクリートの発注者と製造者と運送車と生コンクリートの納入先である現場とで、共通したフォーマットを有していないと共に、発注時から製造時、製造時から運送時、運送時から納入時、までの各時点での正確な確認ができずに生コンクリートが誤納される可能性のある点を、生コンクリートを中心とした、発注者端末と、製造者端末と、現場端末と、で共有可能なフォーマットをホストコンピュータに蓄積し、各時点でネットワークを介してホストコンピュータへ接続してフォーマットにあるデータと入力するデータとを確認するようにすることで防止する。
【００２０】
そして、本発明は、ホストコンピュータのコード生成部によりフォーマットをコード化し、コードを付した規格の納入書を各端末のフォーマット出力部により印刷出力可能とすると共に、このコードを読み取って解読するようにすれば、ホストコンピュータのフォーマットがコードを解読することで読み出され、あるいはフォーマットがデコードされ、一方、今コードを読み取って解読した例えば現場端末の管理された識別番号とフォーマットにおける現場の管理番号との照合が可能となり、現場が誤っている場合、つまり誤納の場合には報知されてこれを知ることができる。
【００２１】
つまり、生コンクリートの運送する運送業者は、フォーマットがコード化された規格の納入書と共に生コンクリートを運送すれば、現場端末においてホストコンピュータと照会し、運送した生コンクリートの運送場所の誤りがあれば報知されるから、上記同様、現場で誤って生コンクリートを打設するといった最悪の事態を未然に防止できる。生コンクリートを運送する運送業者と現場における納入場所の混乱が抑制され、利便性が向上する。
【実施例】
【００２２】
以下、図１〜図６を参照して本発明の具体的実施形態について説明する。本発明の生コンクリート誤納防止システム１（以下、システム１と記す）は、図１に示すように、発注者端末２と、製造者端末３と、現場端末４と、ホストコンピュータ５により構成され、これらが相互にネットワークを介して接続されている。
【００２３】
発注者端末２は、工事の請負業者であり、現場の計画立案を行う立場にある場所で稼働する端末を意味する。発注者端末２からは例えば工事現場におけるどの区画にどのような性状（配合）の生コンクリートがどれだけの量、いつ必要なのかといったオーダーデータがフォーマットに入力され、このフォーマットがホストコンピュータ５に出力される。
【００２４】
製造者端末３は、生コンクリートの製造業者であり、上記発注者端末２からのオーダーを受けて生コンクリートを製造する立場にある場所で稼働する端末を意味する。製造者端末３からは例えば製造した生コンクリートの、配合、量、運送場所、出荷日時、運送業者及び運送車両といった出荷データがフォーマットに入力され、このフォーマットがホストコンピュータ５に出力される。
【００２５】
現場端末４は、生コンクリートを納入し打設する現場で稼働する端末を意味する。現場端末４からは例えば運送された生コンクリートの受入日時、受入場所、運送業者及び運送車両といった受入データがフォーマットに入力され、このフォーマットがホストコンピュータ５に出力される。
【００２６】
発注者端末２、製造者端末３、現場端末４は、具体的にはそれぞれ共通して図２に示す次のハードウェア構成とされている。各端末２，３，４は、データの入力のための例えばキーボードやマウスといった入力手段Ｉと、入力手段Ｉから入力されたデータを演算処理する例えばＣＰＵ及びここではメモリも含めた演算手段Ｃと、データやプログラムを蓄積した例えばハードディスクといったデータ格納手段Ｄと、演算手段Ｃからの出力を表示する例えばディスプレイ及びここではプリンタも含めた出力手段Ｏと、ホストコンピュータ５にネットワーク接続を行うためのデバイスでなる接続手段Ｎと、を有している。
【００２７】
また、各端末２，３，４、特に現場端末４には、後述するＪＩＳ規格で定められた所定の納入書に付されたコードを読み取るためのスキャナＳを有している。これら各端末２，３，４のデータ格納手段Ｄには、後述の誤納防止プログラムＰのクライアントパートが格納されている。
【００２８】
ホストコンピュータ５は、特に置き場が定められていないが、例えば発注者端末２、あるいは製造者端末３、と同じ場所に設けられていると後述の誤納防止プログラムＰの管理がしやすいといったメリットがある。
【００２９】
ホストコンピュータ５は、図２に示した各端末２，３，４と同様の具体的構成、すなわち、入力手段Ｉ、演算手段Ｃ、データ格納手段Ｄ、出力手段Ｏ、接続手段Ｎ、必要に応じてスキャナＳを有している。そして、ホストコンピュータ５のデータ格納手段Ｄには、誤納防止プログラムＰの上記クライアントパートを含むホストパート（全体）が格納されている。
【００３０】
すなわち、本発明の生コンクリート誤納防止プログラムＰ（以下、プログラムＰと記す）は、上記のとおりホストコンピュータ５の格納手段Ｄに全体（ホストパート）が、各端末２，３，４の格納手段Ｄにクライアントパートが、各々格納されて接続手段Ｎを介してネットワークを介して動作する。
【００３１】
プログラムＰは、上記のとおり各端末２，３，４及びホストコンピュータ５のデータ格納手段Ｄに格納されており、図３に示すようなプログラム構造とされている。
【００３２】
プログラムＰは、発注者端末２において発注・計画のフォーマットを蓄積したフォーマット蓄積部１１、フォーマット蓄積部１１から読み出されたフォーマットを表示する表示部１２、この表示部１２に表示されたフォーマットに対して各端末２，３，４から入力されるデータを受け付ける入力部１３、また、本例では現場端末４に設けたスキャナＳによりフォーマットに印刷されたコードを読み取って解読する読取部１４、フォーマットをコードを生成した状態で印刷するフォーマット出力部１５、発注に対して誤製造、誤納があれば警告音や表示を行う結果出力部１６を有している。
【００３３】
プログラムＰにおける、上記表示部１２、入力部１３、入力部１３、読取部１４、フォーマット出力部１５、結果出力部１６は、各端末２，３，４においてインストール（データ格納手段Ｄに格納）されている。
【００３４】
該各端末２，３，４において、プログラムＰの、表示部１２、フォーマット出力部１５、結果出力部１６がディスプレイ及びプリンタを含めた出力手段Ｏと、入力部１３がキーボードやマウスといった入力手段Ｉと、読取部１４がスキャナＳと、各々協働し、データ処理を演算手段Ｃにより行い、データ格納手段Ｄにデータを蓄積したり、接続手段Ｎを介してデータが送受される。
【００３５】
一方、プログラムＰは、ホストコンピュータ５において、表示部１２、入力部１３、入力部１３、読取部１４、フォーマット出力部１５、結果出力部１６（これらクライアントパートは分離していてもよい）と共に、一元管理されるフォーマットを蓄積するフォーマット蓄積部１１と、各端末２，３，４から入力又は読み取り結果に対する正誤のチェックを行うチェック部１７と、フォーマットを印刷出力する際に当該フォーマットのコードを生成するコード生成部１８と、がインストール（データ格納手段Ｄに格納）されている。
【００３６】
ホストコンピュータ５において、フォーマット蓄積部１１はデータ格納手段Ｄと、チェック部１７、コード生成部１８は演算手段Ｃと各々協働し、接続手段Ｎを介して送受されるデータを一元管理すると共に、入力・照合に対する一致又は不一致の判別を行う。
【００３７】
上記構成のプログラムＰ及び該プログラムＰにより稼働するシステム１は、生コンクリートが必要となる現場に関する計画から、生コンクリートを発注し、製造し、現場に運送し、最終的に納入の間に、図４及び図５に示すように動作する。動作前提として、システム１における各端末２，３，４及びホストコンピュータ５は上記構成とされると共にプログラムＰがそれぞれインストールされて、該各端末２，３，４はホストコンピュータ５にそれぞれ接続されているものとする。
【００３８】
発注者端末２は、ホストコンピュータ５のフォーマット蓄積部１１より所定の計画フォーマットを読み出し（Ｓ１）、該発注者端末２における表示部１２でこれを表示する（Ｓ２）。発注者端末２は、この表示されたフォーマットに対して生コンクリートの配合、強度、量、必要日時等といった計画を入力する（Ｓ３）。
【００３９】
発注者端末２において、上記の入力が完了すると、このフォーマットを固有の番号などで管理可能に登録し、このデータをフォーマット蓄積部１１に蓄積する（Ｓ４）。なお、発注者端末２において入力したデータはホストコンピュータ５におけるプログラムＰのチェック部１７を介するが、この時点ではチェックすべきデータが無いので作動しない。
【００４０】
発注者端末２で入力が行われ、フォーマット蓄積部１１に管理登録されてフォーマット蓄積部１１にフォーマットが蓄積されると、次に、ホストコンピュータ５は当該フォーマットに基づいて生コンクリートの製造を依頼する旨、製造者端末３へ向けて通知する（Ｓ５）。
【００４１】
この通知は、プログラムＰをインストールすることで、該プログラムＰを介して形成されるネットワークに参加した全ての端末がホストコンピュータ５において固有の識別番号で管理されており、別途、例えば電話やファクシミリ、郵送といった連絡の必要はなく、該プログラムＰの一連の動作中に即時的に行われる。
【００４２】
製造者端末３へ向けた依頼の通知は、例えば電子メールであってもよいが、望ましくは表示部１２に依頼があった旨の表示を行うようにする。また、この通知は、当該計画に関与する発注者端末２、製造者端末３、現場端末４の全端末へ向けて行ってもよい。また、ホストコンピュータ５は、そのような計画が立案発動したことを示すフラグが立てられて管理番号で特定されるフォーマットが管理される（Ｓ６）。以降、管理番号で特定されるフォーマットの現状の進捗状況がフラグにより把握できるようになる。
【００４３】
こうすることで、例えば発注者端末２から作業が移った後、該発注者端末２から管理番号を入力して当該フォーマットを読み出せば、現在、作業がどの状況にあるのか（例えば製造者端末３にあるのか、例えば現場端末４にあるのか）を把握できる。例えば、発注者端末２において計画のミスがあった場合にもこのフラグを見て、現状の進行状況下あるいは次の進行状況下にある例えば製造者端末３や現場端末４へ直接的に連絡が行え、当該ミスによる計画の進行を食い止めることができる。
【００４４】
発注者端末２から依頼を受けた製造者端末３では、その管理番号によって当該フォーマットを読み出し（Ｓ７）、該製造者端末３において表示する（Ｓ８）。そして、製造者端末３において発注者端末２でオーダーされた生コンクリートの具体的な製造配合、量、等を当該フォーマットに入力する（Ｓ９）。
【００４５】
このとき、ホストコンピュータ５では、製造者端末３の所定入力データと、発注者端末２でオーダーされた生コンクリートデータとのチェック部１７において照合しており（Ｓ１０）、オーダーに沿ったデータ入力でなければ（Ｓ１０でＮＧ）、入力をやり直し（Ｓ９に戻る）、オーダーに沿ったデータ入力である場合は（Ｓ１０でＯＫ）、次の製造工程（Ｓ１１）に進む。
【００４６】
当該フォーマットに入力が完了すると（オーダーに沿ったデータ入力であることがチェック部１７で確認されると）、製造者端末３と接続された生コンクリート製造設備が稼働し、生コンクリートを製造する（Ｓ１１）。
【００４７】
生コンクリートが製造されると、性状や（推定）強度の確認が製造者端末３における製造設備により行われ（Ｓ１２）、確認データがフォーマット上の発注者端末２でオーダーされたデータとチェック部１７において照合され、発注者端末２で要求される条件を満たしていれば（Ｓ１３でＯＫ）、Ｓ９で製造者端末３で入力した当該フォーマットを登録し、ホストコンピュータ５のフォーマット蓄積部１１に蓄積する（Ｓ１４）。一方、製造された生コンクリートが必要条件を満たしていない場合は（Ｓ１３でＮＧ）はＳ９に戻って入力からやり直す。
【００４８】
製造された生コンクリートの性状や強度の確認がされて、出荷段階になった際に、製造者端末３においてその旨のデータを入力したうえで、ホストコンピュータ５のフォーマット蓄積部１１に登録し、蓄積する（Ｓ１４）。そして、ホストコンピュータ５は、製造者端末３からの出力指示に基づいて、発注者端末２から製造者端末３までで登録されているフォーマットの管理番号をコード化し（Ｓ１５）、このコードを付したフォーマットを納入書として出力し（Ｓ１６）、この段階で、ホストコンピュータ５はフラグを立てる（Ｓ１７）。
【００４９】
納入書は、生コンクリートと共に運送車両を特定されたうえで運送業者に手渡される（Ｓ１８）。なお、納入書は、コードが「備考欄」に付されている以外はＪＩＳ規格に沿った書式である。
【００５０】
ここで、本発明のメリットについて説明する。従来は、この納入書が、生コンクリートの製造側によって作成されて、運送業者に手渡される。この後、運送業者は納入書を所持して生コンクリートを運送するが、ここで生じ得る４つの誤納要因がある。
【００５１】
１つ目は、製造者側で誤った性状の生コンクリートを製造してしまい、これを運送業者が適切な現場へ運送する場合。２つ目は、製造者側では発注者のオーダーに沿った適切な性状の生コンクリートを製造したが、これを運送業者が誤った現場へ運送する場合。３つ目は適切な生コンクリートを製造し、適切な現場へ運送したが、現場において打設（納入）場所を誤ってしまう場合。４つ目は、以上のうちいずれか２以上が誤っている場合。
【００５２】
現場側の最終ミスで生コンクリートを打設してしまった場合は論外であるが、製造ミスや運送ミスがあった場合、上記従来の納入書だけでは、当該計画に関与する関係者で生コンクリートを中心としたデータを共有できていないと共に状況把握と確認ができなかったので、製造段階でミスがあるのか、運送段階でミスがあるのか、つまり食い止めることができたにもかかわらず看過されてしまうことがあった。
【００５３】
そこで、本発明では、当該計画に関与する関係者で生コンクリートを中心としたデータを共有可能にすると共に状況把握と確認を可能にすることとした。このようにすることで、納入書自体はＪＩＳ規格に沿ったもので変わりはないが備考欄にコードを付すことで、このコードで照会すれば、計画に関与する関係者における生コンクリートを中心としたデータの確認が可能となる。
【００５４】
説明に戻って、Ｓ１８で運送業者は納入書を携帯して生コンクリートを現場へ運送し、現場へ到着する（Ｓ１９）と、現場端末４により納入書に付されたコードを読み取る（Ｓ２０）する（Ｓ１９）。
【００５５】
この納入書に付されたコードを読み取ると、コード化された管理番号の当該フォーマットがホストコンピュータ５のフォーマット蓄積部１１から読み出され（Ｓ２１）、あるいはデータがデコードされて現場端末４における出力手段Ｏに表示されると共に、該現場端末４における納入現場の確認がホストコンピュータ５のチェック部１７において行われる（Ｓ２２）。
【００５６】
Ｓ２２におけるチェックは、現場端末４が特定されていれば、コードを読み取った該現場端末４の識別番号がホストコンピュータ５へ送信されて、フォーマットにおける現場（端末４）で照会され、また、現場端末４が特定されていなければ、コードを読み取った後に現場番号を現場端末４から入力し、ホストコンピュータ５のチェック部１７において入力した現場番号とフォーマットにおける現場番号で照会される。
【００５７】
上記Ｓ２２における確認がＯＫである場合（Ｓ２３でＯＫ）は、Ｓ２４へ進み、Ｓ２３でＮＧであれば、納入すべき現場が間違っている旨の警報をホストコンピュータ５のチェック部１７を介してその現場端末４の結果出力部１６へ出力する。結果出力部１６は、例えば音や音声により誤納を通知する。一方、ホストコンピュータ５は、チェック部１７を介して例えば現場端末４の表示部１２に納入すべき現場の見取図等を表示し、適正な現場においてＳ２２の表示と確認をやり直す（Ｓ２５）。
【００５８】
適正な現場に納入されると、現場端末４においてその旨入力して（Ｓ２４）、当該フォーマットにおける発注から納入までの一連の作業が完了したこととなり（Ｓ２６）、ホストコンピュータ５は、その旨、フラグを立てる（Ｓ２７）。こうすることで、当該フォーマットにおける作業は、各端末２，３，４のどの端末からでも現状を把握できる。
【００５９】
なお、Ｓ２４の納入の入力は、本例の場合、Ｓ２２の現場番号や現場端末４の識別番号が照合の一致又は不一致を確認したうえで、改めて納入の入力を行うようにしているが、Ｓ２２の現場番号や現場端末４の識別番号が照合された時点で（Ｓ２３でＯＫ）、入力が完了するようにし、それを受けて即座にホストコンピュータ５がフラグを立てるようにしてもよい。
【００６０】
このように本発明は、既存のＪＩＳ規格の納入書を使った、既存の作業において、生コンクリートリートの発注者と製造者と、生コンクリートを打設する現場と、のいずれにおいてもデータを共有でき、誤りが生じないようにチェックが行われ、そのうえ、状況を把握することができるので、人為的やうっかりといったミスが抑制され、生コンクリートの誤納は劇的に低下する。
【符号の説明】
【００６１】
１  （生コンクリート誤納防止）システム
２  発注者端末
３  製造者端末
４  現場端末
５  ホストコンピュータ
１１  フォーマット蓄積部
１２  表示部
１３  入力部
１４  読取部
１５  フォーマット出力部
１６  結果出力部
１７  チェック部
１８  コード生成部
Ｐ  プログラム
【図１】
2014233914.tif 000003
【図２】
2014233914.tif 000004
【図３】
2014233914.tif 000005
【図４】
2014233914.tif 000006
【図５】
2014233914.tif 000007
【図６】
2014233914.tif 000008